(57)【要約】【課題】幅広部と幅狭部とを持つパネル本体を扱う際に、亀裂が生じにくい施工構造、建築用パネルの施工方法及び建築用パネルを提供する。【解決手段】施工構造は、下地と、下地に取り付けられた建築用パネル３と、を備える。建築用パネル３は、幅広部４１と、幅広部４１よりも幅方向の寸法が短い幅狭部４２と、を有する。建築用パネル３は、幅広部４１と幅狭部４２とでなす角部４５を起点とする亀裂の発生を抑える補強体５を有する。補強体５は、裏面のうち、角部４５の周囲に設けられる。【選択図】図５
2020125656.tif 000002
【特許請求の範囲】
【請求項１】
下地と、
前記下地の形状に沿うように幅広部と該幅広部よりも幅の狭い幅狭部とを有し、前記下地に取り付けられた建築用パネルと、
を備え、
前記建築用パネルは、裏面のうち、前記幅広部と前記幅狭部とでなす角部の周囲に設けられ、前記角部を起点とする亀裂の発生を抑える補強体を有する、
施工構造。
【請求項２】
前記補強体は、前記角部に沿って設けられている、
請求項１に記載の施工構造。
【請求項３】
幅広部と、該幅広部よりも幅の狭い幅狭部とを有するパネル本体を形成するパネル切込み工程と、
補強体を、パネル本体の裏面のうちの前記幅広部と前記幅狭部とでなす角部の周囲に固定する補強体取付け工程と、
前記パネル切込み工程及び前記補強体取付け工程の後、前記補強体が固定された前記パネル本体を下地に取り付けるパネル取付け工程と、
を備える、
建築用パネルの施工方法。
【請求項４】
幅広部と前記幅広部よりも幅方向の寸法が短い幅狭部とを有するパネル本体と、
前記パネル本体の裏面のうち、前記幅広部と前記幅狭部とでなす角部の周囲に設けられ、前記角部を起点とする亀裂の発生を抑える補強体と、
を備える、
建築用パネル。
【発明の詳細な説明】
【技術分野】
【０００１】
本発明は、施工構造、建築用パネルの施工方法及び建築用パネルに関する。
【背景技術】
【０００２】
特許文献１には、従来の施工構造（外壁構造）が記載されている。特許文献１に記載の外壁構造では、壁下地と、壁下地に取り付けられる外壁部と、を備える。壁下地には、窓や換気口のための開口部が形成されている。開口部の周辺に取り付けられる外壁部は、開口部に対応して一部が切り欠かれている。
【先行技術文献】
【特許文献】
【０００３】
【特許文献１】特開２０１２−２２９５８６号公報
【発明の概要】
【発明が解決しようとする課題】
【０００４】
ところで、上記特許文献１に記載の外壁部では、一部が切り欠かれることで、幅が広い幅広部と、幅広部よりも幅方向に短い幅狭部と、が形成される。作業者は、外壁部において、切欠きを形成するときには、例えば、サイディング用丸鋸を用いて、外壁部の幅方向に沿って切り込みを入れると共に、長さ方向に沿って切り込みを入れる。
【０００５】
このとき、作業者が細心の注意を払わないと、幅方向に沿う切り込みの長さが、予定する寸法よりも長くなってしまうことがある。切り込みの長さが予定する寸法よりも長くなると、この部分から亀裂が生じやすく、要するに、幅狭部と幅広部とでなす角部を起点にして亀裂が生じやすい。例えば、外壁部を壁下地に施工する際に、幅狭部をつかんで外壁部を持ち上げると、幅広部と幅狭部とでなす角部を起点にして亀裂が生じてしまうことがある。
【０００６】
本発明は、上記事情に鑑みてなされ、幅広部と幅狭部とを有するパネル本体を扱う際に、亀裂が生じにくい施工構造、建築用パネルの施工方法及び建築用パネルを提供することを目的とする。
【課題を解決するための手段】
【０００７】
本発明に係る一態様の施工構造は、下地と、前記下地の形状に沿うように幅広部と該幅広部よりも幅の狭い幅狭部とを有し、前記下地に取り付けられた建築用パネルと、を備える。前記建築用パネルは、補強体を有する。前記補強体は、前記建築用パネルの裏面のうち、前記幅広部と前記幅狭部とでなす角部の周囲に設けられ、前記角部を起点とする亀裂の発生を抑える。
【０００８】
本発明に係る一態様の建築用パネルの施工方法は、パネル切込み工程と、補強体取付け工程と、パネル取付け工程と、を備える。前記パネル切込み工程は、幅広部と、該幅広部よりも幅の狭い幅狭部とを有するパネル本体を形成する。前記補強体取付け工程は、補強体を前記パネル本体の裏面のうち前記幅広部と前記幅狭部とでなす角部の周囲に固定する。前記パネル取付け工程は、前記パネル切込み工程及び前記補強体取付け工程の後、前記補強体が固定された前記パネル本体を下地に取り付ける。
【０００９】
本発明に係る一態様の建築用パネルは、パネル本体と、補強体と、を備える。前記パネル本体は、幅広部と、前記幅広部よりも幅方向の寸法が短い幅狭部と、を有する。前記補強体は、前記パネル本体の裏面のうち、前記幅広部と前記幅狭部とでなす角部の周囲に設けられ、前記角部を起点とする亀裂の発生を抑える。
【発明の効果】
【００１０】
本発明に係る上記態様の施工構造、建築用パネルの施工方法及び建築用パネルは、幅広部と幅狭部とを有するパネル本体を扱う際に亀裂が生じにくい、という利点がある。
【図面の簡単な説明】
【００１１】
【図１】本発明の一実施形態に係る施工構造の正面図である。
【図２】同上の下地の一部を破断した斜視図である。
【図３】同上の施工構造において、窓を省略した開口部の断面図である。
【図４】図４Ａは、図１のＡ部分に用いられる建築用パネルである。図４Ｂは、図１のＢ部分に用いられる建築用パネルである。
【図５】図５Ａは、同上のパネル本体に補強体が取り付けられた状態の背面図である。図５Ｂは、同上の建築用パネルの断面図である。
【図６】同上の補強体の正面図である。
【発明を実施するための形態】
【００１２】
（１）実施形態
（１．１）全体構成
以下、本実施形態に係る施工構造１について、詳細に説明する。本実施形態に係る施工構造１は、図１に示すように、外壁を施工した後の建物の構造のことである。建物は、本実施形態では、居住用の建物（住宅）であり、軸組を有する構造物である。
【００１３】
建物は、本実施形態では、木造であるが、本発明では、鉄骨造であってもよい。また、本発明に係る建物は、住宅でなくてもよく、非住宅建築物であってもよい。非住宅建築物としては、例えば、店舗、倉庫、製造工場、集会場等が挙げられる。
【００１４】
本実施形態に係る施工構造１は、図２に示すように、下地２と、複数の建築用パネル３と、突出部材７（図３）と、を備える。
【００１５】
（１．２）下地
下地２は、建築用パネル３の下地である。下地２は、本実施形態では、壁下地である。下地２は、図２に示すように、複数の柱２１と、防水シート２３と、窓台２４と、まぐさ２５と、を備える。本実施形態に係る下地２は、一対の柱２１（管柱２１ｂ）、窓台２４及びまぐさ２５で囲まれた部分で開口部２６が形成されている。
【００１６】
開口部２６は、屋内と屋外とを通じさせる。本実施形態に係る開口部２６は、窓７２（図１）のための開口部２６であるが、本発明では、開口部２６は、例えば、玄関扉等の出入口、採光窓、通気口、換気装置のための開口等であってもよい。また、開口部２６は、本実施形態では、正面から見て（正面視という）矩形状の開口であるが、例えば、正面視円形状であってもよい。
【００１７】
柱２１は、建物の軸組に含まれる鉛直材である。柱２１は、本実施形態では、木材である。柱２１は、断面矩形状の角材であるが、例えば、円柱状等であってもよい。建物が鉄骨造である場合、柱２１は、例えば、鉄骨材で構成される。鉄骨材としては、例えば、Ｃ型鋼、溝形鋼、Ｈ型鋼等が挙げられる。本発明でいう「柱２１」には、通し柱、間柱２１ａ及び管柱２１ｂが含まれる。複数の柱２１の間には、例えば、断熱材が設けられる。この断熱材は設けられなくてもよい。
【００１８】
窓台２４は、開口部２６の下にある横木である。窓台２４の上面は、本実施形態では水平面に沿っている。窓台２４の長手方向の両端は、柱２１（管柱２１ｂ）に取り付けられている。窓台２４の長手方向の中間部分は、一又は複数の間柱２１ａの上端面に載っており、窓台２４は一又は複数の間柱２１ａで支えられている。
【００１９】
まぐさ２５は、開口部２６の上にある横木である。まぐさ２５の下面は、本実施形態では水平面に沿っている。まぐさ２５の長手方向の両端は、柱２１（管柱２１ｂ）に取り付けられている。まぐさ２５の長手方向の中間部分は、間柱２１ａの下端面に取り付けられている。
【００２０】
防水シート２３は、建築用パネル３と下地２との間の空間（通気層）に入った水が屋内側に入るのを防ぐ。防水シート２３は、本実施形態では、透湿防水シートである。透湿防水シートは、水を通さないが、湿度を通す性質を持つシートである。したがって、本実施形態では、防水シート２３は、通気層から室内に向かって水を通さないが、室内から通気層に向かって湿気を通す。防水シート２３は、柱２１の屋外側の鉛直面に対して、固着具によって取り付けられている。固着具としては、例えが、釘、タッカー等が挙げられる。
【００２１】
下地２と建築用パネル３との間には胴縁２７（縦胴縁）が配置されている。本実施形態に係る胴縁２７は、防水シート２３を介して、柱２１に取り付けられており、要するに、複数の胴縁２７は、下地２の屋外側の面に取り付けられている。胴縁２７は、下地２に対して、建築用パネル３を取り付けるための材である。本実施形態では、胴縁２７は、長手方向が鉛直方向に沿った縦胴縁であるが、本発明に係る胴縁２７は、長手方向が水平方向に沿った横胴縁であってもよい。縦胴縁は、建築用パネル３と下地２との間に通気層を形成するための通気胴縁として機能する。本発明でいう「通気層」は、空気を建築用パネル３の下方から取り込み、軒下から出す通気のための空間を意味する。これによって、断熱性の向上、建築用パネル３と下地２との間の換気による結露防止等の効果を発揮することができる。
【００２２】
（１．３）突出部材
突出部材７は、図３に示すように、下地２の屋外側の面２８よりも屋外側に突出する部分（この部分を突出部７１１という場合がある）を含む部材である。突出部材７は、本実施形態では、開口部２６に取り付けられる枠材７１である。本実施形態に係る枠材７１は、窓台２４の上面、まぐさ２５の下面及び柱２１の側面に沿って配置された状態で、下地２に取り付けられる。枠材７１は、正面視略矩形枠状に形成されている。枠材７１の内側には窓７２が取り付けられる。窓７２としては、例えば、引違い窓、片開き窓、両開き窓、内倒し窓、上げ下げ窓等の開閉可能な窓７２のほか、ＦＩＸ窓（いわゆる嵌め殺し窓）、ルーバ窓等が挙げられる。
【００２３】
突出部７１１は、下地２の屋外側の面２８よりも屋外側に突出している。本実施形態では、枠材７１の屋外側の端面は、建築用パネル３の屋外側の面（外壁面）よりも屋外側に位置している。
【００２４】
本実施形態では、突出部材７は枠材７１であるが、本発明では、突出部材７は枠材７１に限らない。本発明に係る突出部材７としては、例えば、下地２の屋外側の面２８から少なくとも一部が突出する換気扇や換気窓等の機器、庇、ベランダ、バルコニー等が挙げられる。
【００２５】
突出部材７は、本実施形態では下地２に取り付けられているが、本発明では、下地２に取り付けられていなくてもよく、例えば、胴縁２７に取り付けられてもよいし、後述の内壁パネルと外壁パネルとのいずれかに取り付けられてもよい。
【００２６】
（１．４）建築用パネル
建築用パネル３は、板状の建築資材であり、本実施形態では、外壁パネルである。ただし、本発明では、建築用パネル３は、外壁パネルに限らず、例えば、内壁パネル、間仕切りパネル、屋根用パネル等であってもよい。ここでは、建築用パネル３において、長手方向を「長さ方向」と定義し、長手方向に直交する方向（短手方向）を「幅方向」として定義する。
【００２７】
本実施形態では、図１に示すように、建築用パネル３の長手方向を水平面に沿う方向として施工する、いわゆる横張り施工をしている。ただし、本発明では、横張り施工に限らず、縦張り施工を行う建築用パネル３であってもよい。
【００２８】
本実施形態に係る建築用パネル３は、いわゆる窯業系パネルである。本発明でいう「窯業系パネル」とは、セメント材と繊維材とを主な原料とする。ただし、建築用パネル３としては、窯業系パネルに限らず、例えば、木製パネル、ＡＬＣ（Autoclaved Lightweightaerated Concrete）パネル、金属系サイディング等であってもよい。
【００２９】
本実施形態に係る建築用パネル３は、一般部では、一方向に延びた矩形状に形成されている。複数の建築用パネル３のうち、開口部２６に対応する箇所に取り付けられる建築用パネル３は、切欠き４４を有する。切欠き４４が突出部材７に対応する位置に配置された状態で建築用パネル３は下地２に取り付けられる。以下では、切欠き４４を有する建築用パネル３について説明する。建築用パネル３は、留め金具（不図示）によって、胴縁２７に取り付けられ、下地２に取り付けられる。本発明でいう「取り付ける」とは、取付け対象物に対して物が接触した状態で取り付けられることのほか、取付け対象物と物との間に中間物を介して取り付けられることも含まれる。なお、建築用パネル３は、下地２に対して、釘留めで取り付けられてもよい。建築用パネル３は、図４Ａ，４Ｂに示すように、パネル本体４と、補強体５と、を備える。
【００３０】
（１．４．１）パネル本体
パネル本体４は、建築用パネル３の主体をなす部分である。本実施形態に係るパネル本体４は、表面が屋外に向く化粧面であり、裏面が屋内に向く。ここで、図４Ａには、図１のＡ部分に対応する建築用パネル３を示す。また、図４Ｂには、図１のＢ部分に対応する建築用パネル３を示す。切欠き４４は、パネル本体４の一部に形成されている。切欠き４４は、図４Ａに示すように、下方向（又は上方）にのみ開口してもよいし、図４Ｂに示すように、下方向（又は上方向）及び横方向に開口してもよい。切欠き４４は、パネル本体４の厚み方向に貫通している。切欠き４４は、開口部２６及び突出部材７の形状に応じて、建築現場で施工される。ただし、建築用パネル３では、切欠き４４を製造工場で加工した上で、施工現場に建築用パネル３を搬入してもよい。
【００３１】
パネル本体４は、幅広部４１と、幅狭部４２と、を備える。幅広部４１と幅狭部４２とは、一体に形成されている。ここで、本発明でいう「一体」とは、複数の部分が接合されることなく、つながっていることを意味する。したがって、本発明でいう「一体」には、同じ複数の部材同士が、例えば、接着剤、溶接、溶着、嵌合又は係合で接合された態様は含まない。幅広部４１と幅狭部４２とは、切欠き４４の周辺に位置する。
【００３２】
幅広部４１は、幅狭部４２に対して幅方向の寸法が大きい部分のことである。幅広部４１の幅方向の寸法は、本実施形態では、一般部の建築用パネル３の幅方向の寸法と同じである。要するに、幅広部４１の幅方向の寸法は、切欠き４４の加工前のパネル本体４の幅方向の寸法と同じである。幅広部４１の幅方向の一方の端部には、雄実が形成され、他方の端部には雌実が形成されている。本発明でいう「雄実」及び「雌実」は、例えば、本実（ほんざね）構造によるもの、相じゃくり構造によるもののいずれも含まれる。
【００３３】
幅狭部４２は、幅広部４１に対して幅方向の寸法が小さい部分のことである。幅狭部４２は、幅広部４１の幅方向に沿う辺のうち、切欠き４４側の辺から、長さ方向に沿って突出している。幅狭部４２の長さ方向に沿う辺のうち、切欠き４４側の辺は、幅広部４１の幅方向に沿う辺のうちの切欠き４４側の辺に接続されている。また、幅狭部４２の長さ方向に沿う辺のうち、切欠き４４側とは反対側の辺は、幅広部４１の長さ方向に沿う辺の一方に連続している。したがって、幅狭部４２の長さ方向に沿う辺のうち、切欠き４４側とは反対側の辺には、雄実及び雌実のうちのいずれかが形成されている。
【００３４】
ただし、本発明に係るパネル本体４では、幅狭部４２の幅方向に沿う両方の辺は、幅広部４１の幅方向に沿う辺において、幅方向の中間部分から長さ方向に沿って突出してもよく、パネル本体４が全体として略Ｔ字状に形成されてもよい。また、幅狭部４２の長さ方向に沿う辺は、互いに略平行であるが、切欠き４４側の辺が他方の辺に対して傾いていてもよい。
【００３５】
パネル本体４は、幅広部４１と幅狭部４２とでなす角部４５を有する。角部４５は、本実施形態では、幅広部４１の幅方向に沿う辺と、幅狭部４２の長さ方向に沿う辺との入隅である。本実施形態では、角部４５は、略９０°（略直角）の頂点部分であるが、鋭角又は鈍角の頂点部分であってもよい。
【００３６】
（１．４．２）補強体
補強体５は、パネル本体４の裏面のうち角部４５の周囲に設けられ、角部４５を起点とする亀裂の発生を抑える。補強体５は、本実施形態では、図５Ａに示すように、一部で幅広部４１に固定され、かつ他の部分で幅狭部４２に固定される。本実施形態では、補強体５は、パネル本体４に対し、固着体によって固定されている。固着体としては、複数のねじ６１、ボルト、接着剤等が挙げられる。本実施形態に係る固着体は、複数のねじ６１である。
【００３７】
本発明でいう「角部４５の周囲」とは、角部４５の近傍のうちの少なくとも一部であることを意味する。また、「角部４５の近傍」とは、補強体５が取り付けられることで、角部４５を起点とする亀裂の発生を抑えることができる位置を意味する。したがって、「角部４５の周囲」は、少なくとも、本実施形態における補強体５の位置を含むが、本実施形態の補強体５の位置から離れても、角部４５を起点とする亀裂の発生を抑えることができるという効果を奏する範囲であれば、「角部４５の周囲」の範疇である。
【００３８】
補強体５は、図５Ｂに示すように、板状である。補強体５は、一定以上の剛性を持つ材料で形成されており、例えば、金属、合成樹脂、ＦＲＰ（Fiber-Reinforced Plastics）、セラミック、カーボン、硬質ゴム等で構成される。金属として、例えば、鋼材、鉄、ステンレス、アルミニウム等が挙げられる。本実施形態では、補強体５は、鋼板、プラスチックが好適に用いられる。
【００３９】
補強体５の厚さは、本実施形態では、５ｍｍ以下が好ましく、より好ましくは、１ｍｍ以下である。これにより、パネル本体４の厚み方向の一面に沿って固定されたときに、補強体５の部分が大きく突出することを防ぐことができ、不陸が生じるのを抑えることができる。
【００４０】
補強体５は、角部４５に沿った形状に形成されている。要するに、補強体５は角部４５に沿って設けられている。具体的には、補強体５は、図６に示すように、第一補強部５１と、第二補強部５２と、を備える。本実施形態に係る補強体５は、例えば、鋼板に対してプレスにて打ち抜き加工で形成されており、第一補強部５１と第二補強部５２とは一体である。ただし、第一補強部５１と第二補強部５２とは溶接等で接合されてもよい。本実施形態に係る補強体５は、平面視略Ｌ字状に形成されている。
【００４１】
第一補強部５１は、幅広部４１と幅狭部４２とにまたがるように形成された部分である。第一補強部５１は、本実施形態では、横長矩形状の部分である。第一補強部５１には、複数（ここでは四つ）の貫通孔５１１が形成されている。各貫通孔５１１には、皿モミ加工が施されている。複数の貫通孔５１１には、図５Ｂに示すように、固着体としてのねじ６１が通される。ねじ６１は、本実施形態では、皿頭ねじである。ねじ６１は、貫通孔５１１に通された状態でパネル本体４にねじ込まれる。ねじ６１の長さは、パネル本体４の厚さと同じか、当該厚さよりも短いことが好ましく、例えば、５ｍｍ程度である。
【００４２】
第二補強部５２は、第一補強部５１の長さ方向に沿った辺のうち、切欠き４４側の辺から突出した部分である。第二補強部５２は、図５Ａに示すように、幅狭部４２の長さ方向に沿う辺のうち、切欠き４４側の辺の延長線４３を越えた位置まで突出する。第二補強部５２は、パネル本体４の長さ方向において、第一補強部５１よりも短い。
【００４３】
第二補強部５２は、幅広部４１における延長線４３を越えた部分で固定される。第二補強部５２は、図６に示すように、複数（ここでは二つ）の貫通孔５２１が形成されている。各貫通孔５２１には、皿モミ加工が施されている。複数の貫通孔５２１には、固着体としてのねじ６１が通される。ねじ６１は、貫通孔５２１に通された状態で、パネル本体４にねじ込まれる。
【００４４】
補強体５は、パネル本体４の厚み方向のいずれかの面に取り付けられる。本実施形態では、補強体５は、パネル本体４の厚み方向の面のうちの屋内側の面（裏面）に沿って取り付けられる。補強体５の第一補強部５１と第二補強部５２とで形成される入隅部は、切欠きの角部４５（入隅部）に沿うようにして配置される。補強体５がパネル本体４の裏面に沿って取り付けられると、建築用パネル３を施工した状態において、補強体５が目立たない。
【００４５】
本実施形態に係る建築用パネル３は、幅狭部４２が幅広部４１に対し、補強体５によって支えられる。したがって、運搬時や施工時において、幅狭部４２に何らかの外力が掛かった場合や、自重による力が掛かった場合に、幅広部４１と幅狭部４２との境界に沿って亀裂が生じるのを抑えることができる。
【００４６】
特に、作業者によっては、パネル本体４の切欠き４４を形成する作業の際に、設計寸法よりも大きく切り込んでしまうことがある。この場合にも、パネル本体４に補強体５が取り付けられることで、幅広部４１と幅狭部４２との角部４５を起点とする亀裂が生じるのを抑えることができる。要するに、本実施形態の建築用パネル３によれば、作業者の技量によらず、適切に、切欠き４４を持つ建築用パネル３を設置することができる。
【００４７】
ところで、上記亀裂は、幅広部４１と幅狭部４２との境界に沿って生じることが多いが、切欠き４４を形成する際に、長さ方向に沿って設計寸法よりも大きく切り込んだ場合には、幅狭部４２の長さ方向に沿う辺に沿って亀裂が生じることがある。しかし、本実施形態に係る補強体５は、第二補強部５２を有しているため、長さ方向に沿う亀裂が発生することも防ぐことができる。
【００４８】
（１．５）施工方法
本実施形態に係る施工構造１は、例えば、以下のように施工される。以下、施工方法を説明する。
【００４９】
本実施形態に係る施工方法は、パネル切込み工程と、補強体取付け工程と、パネル取付け工程と、を備える。
【００５０】
パネル切込み工程は、パネル本体４の一部を切り欠くことで、幅広部４１と幅狭部４２とを形成する工程である。パネル切込み工程では、作業者が工具を使用し、パネル本体４の一部を切り欠く。工具としては、例えば、サイディング用丸鋸、糸鋸、パネルカッター等が用いられる。作業者は、上述のように、建築現場の状況に合わせて、パネル本体４の一部を切り欠いてもよいし、製造現場でパネル本体４の一部を切り欠いてもよい。
【００５１】
補強体取付け工程は、補強体５をパネル本体４に取り付ける工程である。本実施形態では、作業者は、図５Ａに示すように、補強体５の第一補強部５１のうち、長さ方向の一方の端部を幅広部４１に固定し、かつ他方の端部を幅狭部４２に固定する。また、作業者は、第二補強部５２を幅広部４１に固定する。パネル本体４に対する補強体５の固定は、例えば、上述のように複数のねじ６１、接着剤等で実現される。
【００５２】
補強体取付け工程は、パネル切込み工程の後に実行されることが好ましいが、パネル切込み工程の前に行われてもよい。この場合、補強体取付け工程においてカット予定位置に補強体５が取り付けられるため、パネル切込み工程の際に補強体５がガイドとなり、切込み作業が容易となる。また、パネル切込み工程の際に、工具による切込み過ぎを防ぐことができる。さらに、パネル切込み工程で既に補強体５が取り付けられて建築用パネル３が補強されているため、パネル切込み時に建築用パネル３が破損するのを防ぐことができる。特に切込みすることによって脆弱となり得る角部４５が補強されるため、破損を有効に防ぐことができる。
【００５３】
パネル取付け工程は、パネル切込み工程及び補強体取付け工程の後、建築用パネル３を下地２に取り付ける工程である。作業者は、建築用パネル３を持ち、切欠き４４を突出部７１１に合わせながら、建築用パネル３を配置する。そして、作業者は、建築用パネル３を下地２に固定する。本実施形態では、建築用パネル３は、下地２に取り付けられた留付け具によって取り付けられる。
【００５４】
なお、パネル取付け工程では、下地２に建築用パネル３を取り付けた後に、突出部材７を取り付けてもよく、突出部材７の取付け順序は特に限定されない。
【００５５】
本実施形態に係る施工方法によれば、幅狭部４２を有するパネル本体４であっても、補強体５で補強されているため、施工時において、幅狭部４２と幅広部４１との境界に沿って亀裂が生じにくい。したがって、実施形態に係る施工方法によれば、パネル切込み工程で大きく切り込んだ場合でも、パネル本体４に亀裂が生じるのを抑えることができる。この結果、作業者は、精度の高い作業を行う必要がないため、作業性が向上する。
【００５６】
（２）変形例
上記実施形態は、本発明の様々な実施形態の一つに過ぎない。実施形態は、本発明の目的を達成できれば、設計等に応じて種々の変更が可能である。以下、実施形態の変形例を列挙する。以下に説明する変形例は、適宜組み合わせて適用可能である。
【００５７】
上記実施形態では、施工構造１は、開口部２６を有する壁に係る構造であったが、例えば、天窓を有する天井に係る構造であってもよく、外壁に限定されない。
【００５８】
補強体５は、パネル本体４の厚み方向のうち屋内側の面（裏面）のみに取り付けられたが、屋外側の面（表面）に取り付けられてもよい。また、補強体５は、パネル本体４の表面と裏面の両方に取り付けられてもよい。また、補強体５は、パネル本体４の厚み内に埋め込まれてもよい。また、パネル本体４の裏面が有する凹部の内部に補強体５を配置してもよい。凹部は、パネル本体４の裏面のうち、他の部分よりも屋外側に位置する。
【００５９】
上記実施形態に係る補強体５は、略Ｌ字状に形成されたが、略Ｌ字状でなくてもよく、例えば、帯状、三角形状、円形、台形等であってもよい。
【００６０】
本発明にて、「略平行」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００６１】
また、本発明において「端部」及び「端」などのように、「…端部」と「…端」とで区別した表現が用いられている。例えば、「端部」とは、「端面」を含む一定の範囲を持つ部分を意味する。他の「…端部」を伴った表現についても同様である。
【００６２】
（３）態様
以上説明したように、第１の態様に係る施工構造（１）は、下地（２）と、下地（２）に取り付けられた建築用パネル（３）と、を備える。建築用パネル（３）は、下地（２）の形状に沿うように幅広部（４１）と、幅広部（４１）よりも幅方向の寸法が短い幅狭部（４２）と、を備える。建築用パネル（３）は、幅広部（４１）と幅狭部（４２）とでなす角部（４５）を起点とする亀裂の発生を抑える補強体（５）を有する。補強体（５）は、裏面のうち、角部（４５）の周囲に設けられる。
【００６３】
この態様によれば、パネル本体（４）において、幅広部（４１）と幅狭部（４２）とでなす角部（４５）の周囲が補強体（５）によって支えられる。したがって、運搬時や施工時において、幅狭部（４２）に何らかの外力が掛かった場合や、自重による力が掛かった場合等に、角部（４５）を起点とする亀裂の発生を抑えることができる。
【００６４】
第２の態様に係る施工構造（１）では、第１の態様において、補強体（５）は、角部（４５）に沿って設けられている。
【００６５】
この態様によれば、角部（４５）を起点とした、様々な方向に向かって生じる亀裂を防ぐことができる。
【００６６】
第３の態様に係る建築用パネル（３）の施工方法は、パネル切込み工程と、補強体取付け工程と、パネル取付け工程と、を備える。パネル切込み工程は、矩形状の加工前パネルの一部を切り欠くことで、幅広部（４１）と、幅広部（４１）よりも幅方向の寸法が短い幅狭部（４２）とを有するパネル本体（４）を形成する。補強体取付け工程は、補強体（５）を、パネル本体（４）の裏面のうちの幅広部（４１）と幅狭部（４２）とでなす角部（４５）の周囲に固定する。パネル取付け工程は、パネル切込み工程及び補強体取付け工程の後、補強体（５）が固定されたパネル本体（４）を下地（２）に取り付ける。
【００６７】
この態様によれば、仮に、パネル切込み工程でパネル本体（４）に対して大きく切り込んだ場合でも、パネル本体（４）に亀裂が生じるのを抑えることができる。この結果、作業者は精度の高い作業を行う必要がないため、作業性が向上する。
【００６８】
第４の態様に係る建築用パネル（３）は、パネル本体（４）と、補強体（５）と、を備える。パネル本体（４）は、幅広部（４１）と、幅広部（４１）よりも幅方向の寸法が短い幅狭部（４２）とを有する。補強体（５）は、パネル本体（４）の裏面のうち、幅広部（４１）と幅狭部（４２）とでなす角部（４５）の周囲に設けられ、角部（４５）を起点とする亀裂の発生を抑える。
【００６９】
この態様によれば、パネル本体（４）において、角部（４５）の周囲が補強体（５）によって保護される。したがって、運搬時や施工時において、幅狭部（４２）に何らかの外力が掛かった場合や、自重による力が掛かった場合に、角部（４５）を起点とする亀裂の発生を抑えることができる。
【００７０】
第２の態様に係る構成については、施工構造（１）に必須の構成ではなく、適宜省略可能である。
【符号の説明】
【００７１】
１      施工構造
２      下地
３      建築用パネル
４      パネル本体
４１      幅広部
４２      幅狭部
４５      角部
５        補強体
【図１】
2020125656.tif 000003
【図２】
2020125656.tif 000004
【図３】
2020125656.tif 000005
【図４】
2020125656.tif 000006
【図５】
2020125656.tif 000007
【図６】
2020125656.tif 000008